(57)【要約】【課題】  従来のパチンコ機では、遊技盤裏面においてハーネスを小さなハーネスフックに引っ掛けて固定していたため、ハーネスの配線・固定作業がしづらかった。【解決手段】  メイン中継基板８０を保持した基板ホルダ８１は、一端が回動軸８１ａによって透明遊技盤１２の裏面に軸支され、他端が回動軸８１ａを中心として回動自在に構成されている。電飾ＬＥＤ１１ａ２と副制御基板４０とをハーネスで接続する際、まず、ねじ８２を外して基板ホルダ８１の他端を回動させ、一端が電飾ＬＥＤ１１ａ２に接続されたハーネスを右辺背面枠１２ｊ内を経由して、露出させたサブ中継基板９０の表面部分に引き回して、ハーネスの他端をコネクタ９１に接続する。そして、回動させた基板ホルダ８１の他端を元に戻すことで、ハーネスは、透明遊技盤１２の裏面と基板ホルダ８１との間に挟まれた状態で抑えつけられ、固定される。【選択図】  図５
2006095161.tif 000002
【特許請求の範囲】
【請求項１】
遊技の演出を行う演出装置を備えた遊技盤と、前記演出装置の電気的制御を行う制御基板と、前記演出装置と前記制御基板とを電気的に接続するハーネスと、前記遊技盤の裏面側に配置される盤裏面基板と、この盤裏面基板を保持すると共に，前記遊技盤の裏面との間に前記ハーネスを固定する基板ホルダとを備えて構成される遊技機。
【請求項２】
前記遊技盤は遊技を実行するための遊技装置を備え、前記制御基板は、前記遊技装置の電気的制御を行う主制御基板からの制御信号に基づいて前記演出装置の電気的制御を行う副制御基板であり、前記盤裏面基板は、前記遊技装置および前記主制御基板間の電気的接続を中継する中継基板であることを特徴とする請求項１に記載の遊技機。
【請求項３】
前記基板ホルダは、一端が前記遊技盤の裏面に軸支され、他端がこの軸を中心として回動自在に構成されていることを特徴とする請求項１または請求項２に記載の遊技機。
【発明の詳細な説明】
【技術分野】
【０００１】
本発明は、演出装置を備えた遊技盤と演出装置の電気的制御を行う制御基板とがハーネスによって電気的に接続されている遊技機に関するものである。
【背景技術】
【０００２】
従来、この種の遊技機としては、例えば、下記の特許文献１に開示されているパチンコ機がある。このパチンコ機の遊技盤前面に形成された遊技領域の左右側部周縁には、点灯制御されて発光演出を行う電飾部と入賞口とが一体になった電飾部材が設けられている。この電飾部材背後の遊技盤裏面には、発光ダイオードが実装されたランプ基板が取り付けられており、ランプ基板の下端部には、発光ダイオードの点灯制御を行う基板からのハーネスを接続するコネクタが設けられている。このランプ基板には、その下端部を覆って保護カバーが設けられており、保護カバーには、ランプ基板のコネクタの上方に対応する位置に、ハーネスを係止するハーネスフックが形成されている。ランプ基板のコネクタに接続されたハーネスは、保護カバーに形成されたハーネスフックに係止されることで、遊技盤の裏面に固定されると共に弛みが防止される。
【特許文献１】特開２００１−３００００８号公報（段落[００２７]〜[００２８]，図７，図８）
【発明の開示】
【発明が解決しようとする課題】
【０００３】
しかしながら、上記の特許文献１に示すような従来のパチンコ機では、保護カバーにハーネスフックが一体的に形成されているため、種々の部品がひしめき合う遊技盤裏面においてハーネスフックを設けるためのスペースを確保する必要があった。また、ハーネスは、ハーネスフックが形成されている位置で固定されるため、遊技盤裏面における配線引き回しの自由度が低かった。また、種々の部品がひしめき合う遊技盤裏面で小さなハーネスフックにハーネスを引っ掛けなければならず、ハーネスの配線・固定作業がしづらかった。
【課題を解決するための手段】
【０００４】
本発明はこのような課題を解決するためになされたもので、遊技の演出を行う演出装置を備えた遊技盤と、演出装置の電気的制御を行う制御基板と、演出装置と制御基板とを電気的に接続するハーネスと、遊技盤の裏面側に配置される盤裏面基板と、この盤裏面基板を保持すると共に，遊技盤の裏面との間にハーネスを固定する基板ホルダとを備え、遊技機を構成した。
【０００５】
この構成によれば、遊技盤が備える演出装置およびこの演出装置の電気的制御を行う制御基板間に接続されたハーネスは、盤裏面基板を保持した基板ホルダと遊技盤裏面との間に挟まれて抑えつけられ、遊技盤の裏面に固定される。従って、従来のようなハーネスフックを用いることなく、遊技盤の裏面にハーネスを固定することができるようになる。このため、ハーネスフックが不要となり、ハーネスフックを設けるためのスペースを確保する必要もなくなるので、遊技盤の製造コストを低減することができると共に、遊技盤裏面のスペースを有効に活用することができる。また、基板ホルダが設けられている範囲内における遊技盤の裏面との間でハーネスを固定することができるため、従来のようにハーネスフックで固定する場合に比べて配線引き回しの自由度は高くなる。また、基板ホルダと遊技盤裏面との間にハーネスを配置するだけでハーネスを固定できるため、作業者は、ハーネスの配線・固定作業を容易に行うことができるようになる。
【０００６】
また、本発明は、遊技盤が遊技を実行するための遊技装置を備え、制御基板が、遊技装置の電気的制御を行う主制御基板からの制御信号に基づいて演出装置の電気的制御を行う副制御基板であり、盤裏面基板が、遊技装置および主制御基板間の電気的接続を中継する中継基板であることを特徴とする。
【０００７】
この構成によれば、基板ホルダと遊技盤裏面との間にハーネスを配置するだけでハーネスを固定できるため、ハーネスが遊技盤周縁部に設けられた演出装置に接続されて遊技盤裏面の周縁部に引き回される場合であっても、ハーネスを容易に保持することができる。
【０００８】
また、本発明は、基板ホルダが、一端が遊技盤の裏面に軸支され、他端がこの軸を中心として回動自在に構成されていることを特徴とする。
【０００９】
この構成によれば、基板ホルダの他端を回動させて基板ホルダ背後の遊技盤裏面を露出した状態でハーネスを引き回した後、基板ホルダの他端を逆に回動させて元に戻すだけで、ハーネスが基板ホルダと遊技盤の裏面との間に抑えつけられて固定される。このため、作業者は、より容易にハーネスの配線・固定作業を行うことができるようになる。
【発明の効果】
【００１０】
本発明による遊技機によれば、上記のように、演出装置の電気的制御を行う制御基板に接続されたハーネスは、基板ホルダと遊技盤裏面との間に挟まれて抑えつけられ、遊技盤の裏面に固定される。このため、従来に比べて、遊技盤の製造コストを低減させることができると共に、ハーネスの配線引き回しの自由度が高くなり、また、ハーネスの配線・固定作業も容易になる。
【発明を実施するための最良の形態】
【００１１】
次に、本発明を実施するための最良の形態について説明する。
【００１２】
図１は、本実施形態によるパチンコ機１０の外観を示す斜視図である。パチンコ機１０は、前面の中央部にパチンコ遊技が行われる透明遊技盤１２を備えており、その盤面から、透明遊技盤１２の背後に設けられた液晶表示装置１３ｃが透けて観察される。透明遊技盤１２の下方には、上部受皿１１ｂ１および下部受皿１１ｂ２からなる皿ユニット１１ｂが設けられている。下部受皿１１ｂ２の右方には発射ハンドル１が設けられている。
【００１３】
透明遊技盤１２の中央部には、液晶表示装置１３ｃに表示された特別図柄が視認される特別図柄表示部１２ａが設けられており、特別図柄表示部１２ａの左右には、図示しない通過孔が設けられている。また、透明遊技盤１２の下部には始動入賞口１２ｂが設けられている。発射ハンドル１の操作によって盤面に発射されたパチンコ球が始動入賞口１２ｂに入賞すると、液晶表示装置１３ｃの特別図柄表示部１２ａに特別図柄が変動表示されて特別図柄ゲームが開始される。特別図柄表示部１２ａに表示された特別図柄が所定の大当たり組み合わせで揃うと、いわゆる大当たりが発生する。また、始動入賞口１２ｂの左右には、パチンコ球が入賞すると所定個数例えば１０個の賞球が払い出される一般入賞口１２ｃが設けられている。賞球は皿ユニット１１ｂの上部受皿１１ｂ１に払い出されるが、上部受皿１１ｂ１が満杯のときは下部受皿１１ｂ２に払い出される。また、始動入賞口１２ｂの下方には、大当たり入賞が発生すると行われる大当たり遊技において扉が開閉する大入賞口（アタッカ）１２ｄが設けられている。大入賞口１２ｄの下方には、上記の各入賞口１２ｂ〜１２ｄのいずれにも入賞しなかったパチンコ球が入球するアウト口１２ｅが設けられている。
【００１４】
大当たり遊技は、特別図柄の大当たり組み合わせが特別図柄ゲームの終了時に停止表示してから行われ、大入賞口１２ｄに所定個数例えば１０個のパチンコ球が入賞するまで、または、所定時間例えば３０秒が経過するまで、大入賞口１２ｄが開放したままになる遊技が最大で例えば１５ラウンド行われる。各ラウンド中に、大入賞口１２ｄへ入賞したパチンコ球が大入賞口１２ｄの内部に設けられたＶゾーンと呼ばれる特定の領域に入賞すると、次のラウンドへ継続して進むことができるが、各ラウンド中にＶゾーンに入賞しなかった場合はいわゆるパンクとなり、１５ラウンド到達以前であっても、大当たり遊技はそのラウンドで打ち切られて終了となる。大当たり遊技中には、透明遊技盤１２の盤面上方に設けられた電飾装置１１ａにより演出が行われる。
【００１５】
図２は、パチンコ機１０の分解斜視図である。なお、同図において図１と同一部分には同一符号を付してその説明は省略する。
【００１６】
パチンコ機１０は、四角枠状の木枠１４の前面に中枠１３が取り付けられて構成される。中枠１３は、背面に取り付けられる液晶表示装置１３ｃと共に、透明遊技盤１２の背後に位置する裏機構盤を構成しており、パチンコ球を発射する後述する発射ソレノイド１３ｄ（図１０参照）などを備えている。中枠１３は、木枠１４の前面で開閉し得るように、木枠１４の左側部に軸支される。中枠１３の前面中央部には透明遊技盤１２が取り付けられ、上部には遊技の演出音等が放音される一対のスピーカ１３ｂ，１３ｂが取り付けられる。また、中枠１３の前面の右下部には上述した発射ハンドル１が取り付けられる。透明遊技盤１２およびスピーカ１３ｂ，１３ｂはガラス扉１１で覆われ、ガラス扉１１の透明ガラス部分からは遊技盤１２の盤面が観察される。ガラス扉１１の上部には上述した電飾装置１１ａが設けられている。電飾装置１１ａは、電飾ＬＥＤ（発光ダイオード）１１ａ２と、この電飾ＬＥＤ１１ａ２を覆うレンズカバー１１ａ１とからなり、パチンコ遊技の演出を行う演出装置を構成している。また、中枠１３の下部には、上述した皿ユニット１１ｂが取り付けられる。
【００１７】
中枠１３の背面中央部の矩形状開口には、透明遊技盤１２に対向して液晶表示装置１３ｃが取り付けられ、更に液晶表示装置１３ｃを背後から覆うように球払出ユニット１５ａおよび基板ケースユニット１５ｂが取り付けられている。中枠１３の矩形状開口に液晶表示装置１３ｃが取り付けられると、液晶表示装置１３ｃが取り付けられた中枠１３を裏機構盤側から見た図３に示すように、液晶表示装置１３ｃの下方の裏機構盤には、液晶表示装置１３ｃで塞がれない横長の長方形状の隙間からなる開口部１３ｅが形成される。球払出ユニット１５ａは左側部、基板ケースユニット１５ｂは右側部が中枠１３に軸支され、球払出ユニット１５ａおよび基板ケースユニット１５ｂは観音扉状に開いて液晶表示装置１３ｃの背面を露出させる。液晶表示装置１３ｃは、遊技状態等に応じた演出表示をその前面で行い、上述したように、特別図柄表示部１２ａに特別図柄を表示する。球払出ユニット１５ａは、入賞結果に応じた数のパチンコ球を上部受皿１１ｂ１および下部受皿１１ｂ２に供給する。基板ケースユニット１５ｂには、遊技動作や演出表示、球発射等を制御するための後述する主制御基板３０や副制御基板４０、払出・発射制御基板６０（図１０参照）などが収納されている。
【００１８】
図４は、透明遊技盤１２の構成の概略を示す正面図である。なお、同図において図１および図２と同一または相当する部分には同一符号を付してその説明は省略する。
【００１９】
透明遊技盤１２は、略円形の遊技領域１２Ａと、遊技領域１２Ａ左側の下部から中央部やや上側にかけて、遊技領域１２Ａに沿って設けられた略円弧状の球発射領域１２Ｂとを備える。遊技領域１２Ａには上述した各入賞口１２ｂ〜１２ｄ（同図では不図示）などが設けられている。球発射領域１２Ｂは、発射ハンドル１の操作によって発射されたパチンコ球を、遊技領域１２Ａに導くための領域である。球発射領域１２Ｂと遊技領域１２Ａとは戻り防止部材１２ｆで仕切られている。この戻り防止部材１２ｆは、遊技領域１２Ａ内のパチンコ球が球発射領域１２Ｂに戻るのを防止するためのもので、弾性を有する板状体から構成されている。
【００２０】
図５および図６は、透明遊技盤１２の裏面の構成を示しており、図５はその裏面図、図６はその裏面からの斜視図である。また、図７は、図５および図６に示す入賞球集合樋アッセンブリ７０の構造を示す拡大斜視図である。なお、図５，図６および図７において図１および図２と同一または相当する部分には同一符号を付してその説明は省略する。
【００２１】
透明遊技盤１２の裏面の中央部には、ワープ通路１２ｉが設けられている。透明遊技盤１２の盤面正面には、このワープ通路１２ｉへパチンコ球を案内する図示しないワープ入口が開口している。ワープ入口に入ったパチンコ球は、透明遊技盤１２の盤面から消えてワープ通路１２ｉを通過した後、図示しないワープ出口から出てきて透明遊技盤１２の盤面に現れる。ワープ出口は始動入賞口１２ｂの上方に設けられているため、ワープ入口に入球してワープ出口から透明遊技盤１２の表面に出てきて流下するパチンコ球は、始動入賞口１２ｂに入賞しやすくなる。
【００２２】
透明遊技盤１２の裏面下部には、前述した各入賞口１２ｂ〜１２ｄに入球したパチンコ球を球通路７０ａ〜７０ｅを経由して収集する入賞球集合樋アッセンブリ７０が設けられている。球通路７０ａ〜７０ｅに形成された図７に示す挿入口７１〜７４には、パチンコ球の通過を検出する図示しない複数の入賞球センサが設けられる。また、中空部分７５，７６には、図５および図６に示すように、後述する始動入賞口ソレノイド２４や大入賞口ソレノイド２５（図１０参照）が設けられている。
【００２３】
透明遊技盤１２の裏面右下部には、メイン中継基板８０およびサブ中継基板９０が設けられている。メイン中継基板８０は、第１の中継基板を構成しており、基板ケースユニット１５ｂに収納された主制御基板３０と入賞球集合樋アッセンブリ７０に設けられた各入賞球センサ等との電気的接続を中継する。サブ中継基板９０は、メイン中継基板８０と近接して設けられた第２の中継基板を構成しており、基板ケースユニット１５ｂに収納された副制御基板４０と電飾ＬＥＤ１１ａ２等との電気的接続を中継する。各中継基板８０，９０は、図６に示すようにメイン中継基板８０が上部すなわち透明遊技盤１２の正面からみて背後側に位置するように、段差を有した状態で配置されており、中枠１３に取り付けられた液晶表示装置１３ｃの下方の開口部１３ｅを臨む位置に設けられている。
【００２４】
サブ中継基板９０には、副制御基板４０に構成された副制御回路によって制御される電飾ＬＥＤ１１ａ２が接続されるコネクタ９１や、副制御基板４０が接続されるコネクタ９２が設けられている。透明遊技盤１２の上辺に取り付けられた電飾ＬＥＤ１１ａ２とコネクタ９１とは、透明遊技盤１２の右辺背面枠１２ｊ内を経由して配線された図示しないハーネスによって電気的に接続されている。また、副制御基板４０およびコネクタ９２の間も、液晶表示装置１３ｃの下方の開口部１３ｅを経由して配線された図示しないハーネスによって電気的に接続されている。サブ中継基板９０には、これらコネクタ９１，９２以外にも、副制御回路によって制御される透明遊技盤１２に取り付けられた種々のアクチュエータなどが接続されるコネクタ群が設けられている。
【００２５】
メイン中継基板８０は、透明遊技盤１２の裏面側に配置される盤裏面基板を構成しており、基板ホルダ８１によって透明遊技盤１２の裏面に保持されている。メイン中継基板８０にも複数のコネクタが設けられている。
【００２６】
図８は、図５および図６に示す基板ホルダ８１の構造を示しており、同図（ａ）はメイン中継基板８０が保持された状態を示す拡大斜視図、同図（ｂ）はメイン中継基板８０が取り外された状態を示す拡大斜視図である。なお、図８において図５および図６と同一または相当する部分には同一符号を付してその説明は省略する。
【００２７】
基板ホルダ８１は、左側の一端が回動軸８１ａによって透明遊技盤１２の裏面に軸支されており、右側の他端が回動軸８１ａを中心として回動自在に構成されている。基板ホルダ８１の他端には、ねじ８２を挿通させて基板ホルダ８１の他端を透明遊技盤１２の裏面に固定するための穴８１ｂが形成されている。基板ホルダ８１の前面部分には、係止部材８１ｃ〜８１ｈが突出して形成されており、メイン中継基板８０は、これら係止部材８１ｃ〜８１ｈによってその周辺部が係止されることで、基板ホルダ８１の前面部分に保持されている。メイン中継基板８０には、主制御基板３０に構成された主制御回路によって制御される後述する始動入賞口ソレノイド２４，大入賞口ソレノイド２５，Ｖゾーン誘導装置３４（図１０参照）といったアクチュエータおよび上述した球通路７０ａ〜７０ｅに設けられた複数の入賞球センサなどが接続されるコネクタ８３〜８７や、主制御基板３０が接続されるコネクタ８８が設けられている。主制御基板３０およびコネクタ８８の間も、上述した副制御基板４０およびコネクタ９２の間と同様、液晶表示装置１３ｃの下方の開口部１３ｅを経由して配線された図示しないハーネスによって電気的に接続されている。
【００２８】
図９は、図５に示すIX線で基板ホルダ８１およびサブ中継基板９０を破断して矢示方向を見た概略断面図である。電飾ＬＥＤ１１ａ２とコネクタ９１等を接続するハーネス９５は、同図に示すように、基板ホルダ８１によって透明遊技盤１２の裏面に設けられたサブ中継基板９０の表面に抑えつけられて固定されている。
【００２９】
図１０は、本実施形態によるパチンコ機１０の遊技動作を処理制御する電子回路の主な構成を示すブロック図である。この電子回路は、透明遊技盤１２におけるパチンコ遊技の進行に関する電気的制御や、透明遊技盤１２における後述する遊技装置の電気的制御などを行う主制御基板３０に設けられた主制御回路、この主制御回路からの指示に従って、電飾ＬＥＤ１１ａ２などの演出装置の電気的制御を行う副制御基板４０に設けられた副制御回路、賞球等の払い出しやパチンコ球の発射を制御する払出・発射制御基板６０に設けられた払出・発射制御回路などから構成されている。
【００３０】
主制御基板３０には、メインＣＰＵ３１や初期リセット回路３２、シリアル通信用ＩＣ３３といった電子部品が実装されている。また、主制御基板３０には、メインＣＰＵ３１がパチンコ機１０の遊技動作を処理制御するためのプログラムが記憶格納された図示しないメインＲＯＭ（リードオンリメモリ）や、処理制御時にデータが一時的に記憶される図示しないメインＲＡＭ（ランダムアクセスメモリ）も実装されている。初期リセット回路３２は、主制御回路の起動時にメインＲＡＭに記憶されている遊技状態の内容を消去すると共に、メインＲＯＭに記憶されているプログラムに従った遊技処理を開始させるリセット信号を発生する。また、シリアル通信用ＩＣ３３は、メインＣＰＵ３１から送出される制御信号を各制御基板４０，６０へシリアルに送信する。
【００３１】
また、主制御基板３０には、上述した通過孔の内側に設けられ、パチンコ球が通過孔を通過するのを検出するゲートスイッチ２０ｓや、始動入賞口１２ｂに入賞したパチンコ球を検出する始動入賞球センサ２１ｓが接続されている。また、大入賞口１２ｄに入賞したパチンコ球を検出するカウントスイッチ２２ｓ、大入賞口１２ｄ内部のＶゾーンを通過したパチンコ球を検出するＶカウントスイッチ２２ｖ、一般入賞口１２ｃへ入賞したパチンコ球を検出する一般入賞球センサ２３ｓが接続されている。また、主制御基板３０には、アクチュエータとして、始動入賞口１２ｂの球受入口を拡張する始動入賞口ソレノイド２４、大入賞口１２ｄの扉を開閉する大入賞口ソレノイド２５、および大入賞口１２ｄ内部のＶゾーンにパチンコ球が入賞した後にパチンコ球をＶゾーン以外へ誘導するＶゾーン誘導装置３４などが接続されている。
【００３２】
上記各スイッチ２０ｓ，２２ｓ，２２ｖ、各センサ２１ｓ，２３ｓ、および各アクチュエータ２４，２５，３４は、パチンコ遊技を実行するための遊技装置を構成しており、メイン中継基板８０を介して主制御基板３０に接続されている。上記各スイッチ２０ｓ，２２ｓ，２２ｖおよび各センサ２１ｓ，２３ｓがパチンコ球を検出すると、その検出信号はメイン中継基板８０を介して主制御基板３０のメインＣＰＵ３１に入力され、入力される検出信号に応じて、メインＣＰＵ３１は上記各アクチュエータ２４，２５，３４をそれぞれ駆動制御する。
【００３３】
副制御基板４０は、液晶表示装置（ＬＣＤ）１３ｃ，スピーカ１３ｂ，１３ｂ，および電飾ＬＥＤ１１ａ２にサブ中継基板９０を介して接続されており、液晶表示装置１３ｃにおける画像表示を行う画像表示制御、スピーカ１３ｂ，１３ｂから効果音を放音させる音制御、および遊技状態に応じて電飾ＬＥＤ１１ａ２の発光を制御する電飾制御を行う。この副制御基板４０には、サブＣＰＵ４１、プログラムＲＯＭ４２、ワークＲＡＭ４３が実装されている。サブＣＰＵ４１は、主制御基板３０から受信した制御指令の解釈や、ＶＤＰ（ビデオ・ディスプレイ・プロセッサ）４４のパラメータ設定を行う。プログラムＲＯＭ４２には、サブＣＰＵ４１が液晶表示装置１３ｃや、スピーカ１３ｂ，１３ｂ、電飾ＬＥＤ１１ａ２の各動作を処理制御するための制御プログラムが記憶格納されている。ワークＲＡＭ４３は、サブＣＰＵ４１が上記制御プログラムに従って処理制御を行う際の一時的な記憶手段となる。
【００３４】
また、副制御基板４０には、画像データＲＯＭ４５、ＶＤＰ４４、および初期リセット回路４６が実装されている。画像データＲＯＭ４５は、液晶表示装置１３ｃに表示する画像を形成するためのドットデータを記憶格納する。ＶＤＰ４４は、サブＣＰＵ４１で設定されたパラメータに応じて画像データＲＯＭ４５内のドットデータを読み込み、液晶表示装置１３ｃに表示するための画像データを生成する。初期リセット回路４６は、副制御基板４０における副制御回路をリセットするリセット信号を発生する。
【００３５】
メインＣＰＵ３１は、始動入賞口１２ｂへパチンコ球が入賞して始動入賞が発生すると大当たり判定を行う。副制御回路は、この大当たり判定の結果に対応する態様で液晶表示装置１３ｃに特別図柄を順次停止表示させ、左図柄と右図柄とが同一図柄で揃って停止表示されるリーチ状態になると、液晶表示装置１３ｃに特別図柄および演出画を用いてリーチ演出を行う。
【００３６】
スピーカ駆動回路は、効果音の原信号を生成する音源ＩＣ４８と、これに接続され効果音が記憶されている音源データＲＯＭ４９と、音源ＩＣ４８から出力された原信号を増幅するアンプ５０と、３段階の中から１段階の音量出力レベルを指定する音量切換スイッチ５１とから構成されており、サブＣＰＵ４１からの駆動信号により、スピーカ１３ｂ，１３ｂを制御する。ドライブ回路５２は、サブＣＰＵ４１からの駆動信号により、パチンコ機１０の遊技状態に応じて電飾ＬＥＤ１１ａ２の発光を制御する。
【００３７】
払出・発射制御基板６０には、賞球などを払い出す払出装置６１、および発射ハンドル１の操作に応じて駆動される発射ソレノイド１３ｄが接続されている。払出・発射制御基板６０に構成された払出・発射制御回路は、各種入賞に応じて主制御基板３０から出力される払出指令信号に応じて払出装置６１を駆動制御して賞球を払い出させると共に、遊技者による発射ハンドル１の操作に応じて発射ソレノイド１３ｄを駆動制御し、パチンコ球を遊技領域１２Ａへ発射させる。
【００３８】
上記の構成をしたパチンコ機１０の製造時における電気的配線接続の際、電飾ＬＥＤ１１ａ２と副制御基板４０とをハーネスで接続するには、まず、ねじ８２を外して基板ホルダ８１の他端を回動軸８１ａを中心に回動させ、基板ホルダ８１の背後に隠れていたサブ中継基板９０の表面部分を露出させた状態にする。そして、一端が電飾ＬＥＤ１１ａ２に接続されたハーネスを透明遊技盤１２の右辺背面枠１２ｊ内を経由して、露出させたサブ中継基板９０の表面部分に引き回して配線し、ハーネスの他端をコネクタ９１に接続する。引き続いて、副制御基板４０からのハーネスをサブ中継基板９０のコネクタ９２に接続する。そして、回動させた基板ホルダ８１の他端を元に戻して、他端をねじ８２で透明遊技盤１２の裏面に固定することで、図９に示すように、各ハーネスは、透明遊技盤１２の裏面に設けられたサブ中継基板９０の表面と基板ホルダ８１との間に挟まれた状態で抑えつけられ、固定される。
【００３９】
このような本実施形態によるパチンコ機１０によれば、上述したように、副制御基板４０および透明遊技盤１２に設けられた電飾ＬＥＤ１１ａ２間に接続されたハーネスは、メイン中継基板８０を保持した基板ホルダ８１と、透明遊技盤１２の裏面に設けられたサブ中継基板９０との間に挟まれて抑えつけられ、透明遊技盤１２の裏面に固定される。従って、従来のようなハーネスフックを用いることなく、透明遊技盤１２の裏面にハーネスを固定することができるようになる。このため、ハーネスフックが不要となり、ハーネスフックを設けるためのスペースを透明遊技盤１２の裏面に確保する必要もなくなるので、透明遊技盤１２の製造コストを低減することができると共に、透明遊技盤１２の裏面のスペースを有効に活用することができる。また、基板ホルダ８１が設けられている範囲内におけるサブ中継基板９０の表面との間でハーネスを固定することができるため、従来のようにハーネスフックで固定する場合に比べてハーネスの引き回しの自由度は高くなる。
【００４０】
また、従来のパチンコ機では、遊技盤に備えられる電飾ＬＥＤといった演出装置は遊技盤の上部に設けられることが多く、この演出装置から引き回されて配線されるハーネスは、制御基板などを避けるために遊技盤周縁部を引き回されるので、遊技盤裏面におけるハーネスの保持は難しかった。しかしながら本実施形態では、基板ホルダ８１と透明遊技盤１２の裏面との間にハーネスを配置するだけでハーネスを固定できるため、ハーネスが透明遊技盤１２の周縁部に設けられた電飾ＬＥＤ１１ａ２などの演出装置に接続されて透明遊技盤１２裏面の周縁部に引き回される場合であっても、作業者は、ハーネスの配線・固定作業を容易に行うことができるようになる。
【００４１】
また、本実施形態では、基板ホルダ８１の一端が透明遊技盤１２の裏面に回動軸８１ａによって軸支され、他端が回動軸８１ａを中心として回動自在に構成されている。従って、上述したように、基板ホルダ８１の他端を回動させて基板ホルダ８１の背後に設けられたサブ中継基板９０の表面を露出した状態でハーネスを引き回した後、基板ホルダ８１の他端を逆に回動させ、ねじ８２で基板ホルダ８１を透明遊技盤１２に固定して元に戻すだけで、ハーネスが基板ホルダ８１と透明遊技盤１２の裏面との間に抑えつけられて固定される。このため、作業者は、より容易にハーネスの配線・固定作業を行うことができるようになる。
【００４２】
なお、上記の実施形態においては、メイン中継基板８０が基板ホルダ８１に保持されている場合を説明したが、本発明はこれに限られるものではない。基板ホルダ８１に保持される基板は他の基板であっても構わない。この構成においても、上記の実施形態と同様の作用効果が奏される。
【００４３】
また、上記の実施形態においては、パチンコ機１０の透明遊技盤１２の裏面においてハーネスを固定する場合を説明したが、本発明はこれに限られるものではない。例えば、パチスロ機の前面扉の裏面に設けられた基板に接続されるハーネスを引き回して配線する際に、基板ホルダ８１によってハーネスを基板ホルダ８１と前面扉の裏面との間に挟んで固定することも可能である。この構成においても、上記の実施形態と同様の作用効果が奏される。
【産業上の利用可能性】
【００４４】
上記の実施形態においては、パチンコ機１０の透明遊技盤１２の裏面においてハーネスを固定する場合を説明したが、本発明はこれに限られるものではない。演出装置を備えた遊技盤と演出装置の電気的制御を行う制御基板とがハーネスによって電気的に接続されている、パチスロ機といった他の遊技機に本発明を適用することも可能である。このような遊技機に本発明を適用した場合においても、上記の実施形態と同様な作用効果が奏される。
【図面の簡単な説明】
【００４５】
【図１】本発明の一実施形態によるパチンコ機の外観を示す斜視図である。
【図２】図１に示すパチンコ機の分解斜視図である。
【図３】図１に示す液晶表示装置が取り付けられた中枠を示す背面図である。
【図４】図１に示すパチンコ機の透明遊技盤の構成の概略を示す正面図である。
【図５】図４に示す透明遊技盤の裏面の構成を示す裏面図である。
【図６】図４に示す透明遊技盤の裏面の構成を示す斜視図である。
【図７】図５および図６に示す透明遊技盤の裏面に設けられた入賞球集合樋アッセンブリの構造を示す拡大斜視図である。
【図８】図５および図６に示す透明遊技盤の裏面に設けられた基板ホルダの構造を示す拡大斜視図である。
【図９】図５に示すIX線で基板ホルダおよびサブ中継基板を破断した概略断面図である。
【図１０】図１に示すパチンコ機の遊技動作を処理制御する電子回路の主な構成を示すブロック図である。
【符号の説明】
【００４６】
１０…パチンコ機
１１ａ…電飾装置
１１ａ２…電飾ＬＥＤ
１２…透明遊技盤
１２ｊ…右辺背面枠
１５ｂ…基板ケースユニット
３０…主制御基板
４０…副制御基板
７０…入賞球集合樋アッセンブリ
８０…メイン中継基板
８１…基板ホルダ
８１ａ…回動軸
８１ｂ…穴
８１ｃ〜８１ｈ…係止部材
８２…ねじ
８３〜８８，９１〜９２…コネクタ
９０…サブ中継基板
【図１】
2006095161.tif 000003
【図２】
2006095161.tif 000004
【図３】
2006095161.tif 000005
【図４】
2006095161.tif 000006
【図５】
2006095161.tif 000007
【図６】
2006095161.tif 000008
【図７】
2006095161.tif 000009
【図８】
2006095161.tif 000010
【図９】
2006095161.tif 000011
【図１０】
2006095161.tif 000012